(57)【要約】      （修正有）【課題】皮膚ガスを迅速に測定する装置であり、皮膚ガスの捕集精度を向上させ、導入ガスの水分補修や低分子ガスの補修のための乾燥管を容易に取り換えできることを目的とした装置を提供する。【解決手段】皮膚ガスを用いたセンシング装置において、一酸化窒素測定用キャリーガス導入に際し、導入ガスの水分や低分子ガスを吸着するための乾燥管をシリカゲルから成る交換部２１，２２および常時部２３と該常時部の後方にモレキュラーシープから成る吸着部２４を交換部、常時部、吸着部の順に配列したことを特徴とする。【選択図】図２
0003194047.tif 000002
【実用新案登録請求の範囲】
【請求項１】
皮膚ガスや呼気ガスを用いたセンシング装置において、一酸化窒素測定用キャリーガス導入に際し、該導入ガスの水分や低分子ガスを吸着するための乾燥管をシリカゲルから成る交換部および常時部と該常時部の後方にモレキュラーシープから成る吸着部を交換部、常時部、吸着部の順に配列したことを特徴とする皮膚ガスを用いたセンシング装置。
【請求項２】
交換部と常時部を脱着自在と成したことを特徴とする請求項１記載の皮膚ガスを用いたセンシング装置。
【考案の詳細な説明】
【技術分野】
【０００１】
本考案は、皮膚ガスや呼気ガスをオンラインにて迅速に測定する装置であり、皮膚ガスの測定感度を向上させた装置である。さらに詳しくは一酸化窒素測定用の環境空気導入に際しての効果的な乾燥剤配列を有する皮膚ガスや呼気ガスを用いたセンシング装置に関するものである。
【背景技術】
【０００２】
従来、皮膚ガスや呼気ガス中の微量成分をその場測定するためには、皮膚ガスや呼気ガスを採取して、濃縮して次いで簡易ガスクロマトグラフにより測定することが実施されている。
この時、室内外環境空気中に存在する永久ガス気体分子以外の水分子や大気汚染物質を吸着させるための吸着剤としてシリカゲル(特許文献１)などで行われている。また、アンモニア吸着剤としてもシリカゲル(特許文献２)が利用されている。
さらには、成分を吸着させる固相は、成分の特性に応じて適切なものを選択するものであるが、例えば、2,6-ジフェニル-p-フェニレンオキサイド樹脂などの多孔性樹脂、活性炭やカーボンモレキュラーシーブ等の多孔性炭素、グラファイトカーボンブラック等の非多孔性炭素、モレキュラーシーブ等のゼオライト、アルミナ、シリカゲル(特許文献３)等が挙げられ、利用されている。
これら文献にはシリカゲルへの水分などの吸着後の再利用に際しての考慮がされておらず日常的にメンテナンスすることの開示は示されていない。また一酸化窒素ガスの測定における大気汚染物質の除去にモレキュラシーブが有効であることが開示されていない。
皮膚ガスの多センサーを用いたセンシング装置(特許文献4)においても、室内空気を装置内に導入して測定を実施している。この際に正常化された空気を用いることが要求されている。
【先行技術文献】
【特許文献】
【０００３】
【特許文献１】特許公開  ２０１０−１６９６５８号公報
【特許文献２】特許公開  ２０１０−２３０３５３号公報
【特許文献３】特許公開  ２０１２−１９４０８８号公報
【特許文献４】実用新案登録第３１７５４６０号公報
【考案の概要】
【考案が解決しようとする課題】
【０００４】
ヒト皮膚ガスや呼気ガス中に含まれる化学成分を簡便に検出し、迅速にその場での健康状態をその場で表示できる装置に用い、該装置の測定感度および精度を高めるばかりでなく、日常的な吸着剤の脱着を容易にした皮膚ガスや呼気ガスを用いたセンシング装置を提供するものである。
【課題を解決するための手段】
【０００５】
本考案は、皮膚ガスや呼気ガス中の一酸化窒素を簡便に検出するための迅速測定装置への環境空気を導入に際しての乾燥管配列に関するものであり、水分や低級炭化水素などの吸着後の乾燥管の日常的交換を容易にしたものであり、ガスセル中の発光測定に良好に清浄化された環境空気を提供する。
【考案の効果】
【０００６】
以上説明から明らかなように本考案は、シリカゲル乾燥管の日常的な交換により常に乾燥ガスが得られるようになり、またシリカゲル乾燥管で取り切れなかったプロパン、ブタン等の低分子ガスをモレキュラーシープにより除去することができ、一酸化窒素発光を安定化することができる。
【０００７】
本考案は特許文献４に開示されている皮膚ガスを試料とし多センサーを用いて迅速にセンシング装置に適用したところ非常に安定したベースが得られ高い測定感度が得られる。
【図面の簡単な説明】
【０００８】
【図１】本考案による環境空気の乾燥剤による清浄化処理を行い、皮膚ガス中の一酸化窒素をオゾンとガスセル中で反応させ、一酸化窒素の選択的迅速測定を行う装置の構成図である。
【図２】本装置の環境空気を清浄化する吸着剤充填管の使用時の斜視図である。
【考案を実施するための形態】
【０００９】
以下、本考案の実施の形態を図に基づいて説明する。
【実施例】
【００１０】
実施例を図面に従って説明すると、図１は、皮膚ガスを用いたセンシング装置の一例を示す構成図であり、第２図は、乾燥管の配列を示す実施例である。
【００１１】
図１の一酸化窒素センシング装置は環境空気の吸入に際し清浄化を行う乾燥剤列２１〜２４、環境空気を吸引する真空ポンプ部３２、環境空気取り入れ速度を制御する調圧弁２５、指から皮膚ガスを捕集する容器である皮膚ガスサンプリング部２６、オゾン発生部２８、皮膚ガス中の一酸化窒素のオゾン反応による発光を得るガスセル部２９、発光を測定する光電子増倍管３０から構成されている。
【００１２】
実施例をより詳しく説明すると図２のイとロの組み合わせがある。乾燥剤を充填した乾燥管の配列は、交換用シリカゲルからなる交換部２１と２２、常時用シリカゲルからなる常時部２３、さらに後方にモレキュラーシープを充填した乾燥管２４からなる乾燥剤列から構成されている。交換用シリカゲル乾燥管は、単数イと複数ロのいずれかを用いることができる。
【００１３】
乾燥管交換部２１と２２は容易に取り換え可能であり、予備の未吸着交換部と簡単に交換するとともに、常時部２３の乾燥にも寄与するものである。さらにモレキュラーシープの乾燥部２４は、交換部２１と２２および常時部２３で取り切れなかったプロパンやブタン等の低分子ガスを吸着除去し、一酸化窒素発光を安定化するのに寄与している。
複数のシリカゲル充填乾燥管の使用は、シリカゲルの乾燥剤としての能力を示すコバルトを添加した青色のシリカゲルを使用すると交換のインジケーターをして有効であり、日常の管理に優れている。
【００１４】
皮膚ガスを多センサーをもしいて迅速にセンシング装置(特許文献５)があるが、本考案の乾燥剤配列を用いると安定化した出力信号が得られ、測定感度が向上する。
【産業上の利用可能性】
【００１５】
本考案は、皮膚ガスあるいは呼気ガスを用いたセンシング装置を製造する産業で利用される。
【符号の説明】
【００１６】
２１  環境空気清浄化のための交換用シリカゲル充填前乾燥管
２２  環境空気清浄化のための交換用シリカゲル充填後乾燥管
２３  環境空気清浄化のためのシリカゲル充填管
２４  環境空気清浄化のためのモレキュラシーブ充填管
２５  調圧弁
２６  皮膚ガスサンプル捕集するための指プローブ
２７  流路切り替えバルブ
２８  オゾン発生装置
２９  ガスセル
３０  光電子増倍管
３１  オゾン除去装置
３２  室内空気の２１よりの吸引およびガスセルの減圧のための真空ポンプ
【図１】
0003194047.tif 000003
【図２】
0003194047.tif 000004